【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
患者の肉体開口に挿入する外科手術用開創器であって、
近位端および遠位端を設けた第１の細長い部材と、
近位端および遠位端を設けた第２の細長い部材とを備え、前記第２の細長い部材は、前記第１の細長い部材にピボット回転可能に接続されており、
前記開創器は、さらに、近位端および遠位端を設けた第３の細長い部材を備え、前記第３の細長い部材は、前記第１の細長い部材と前記第２の細長い部材のピボット接続部のところで前記第１の細長い部材及び前記第２の細長い部材に接続されており、
前記開創器は、さらに、第１端および第２端を設けた第１の刃を備え、前記第１の刃の第１端は、前記第１の細長い部材の遠位端に動作可能に接続されており、前記第１の刃の第２端は患者の肉体開口に挿入することができるような形状になっており、
前記開創器は、さらに、第１端および第２端を設けた第２の刃を備え、前記第２の刃の第１端は、前記第２の細長い部材の遠位端と協働しており、前記第２の刃の第２端は患者の肉体開口に挿入することができるような形状になっており、
前記開創器は、さらに、第１端および第２端を設けた第３の刃を備え、前記第３の刃の第１端は、前記第３の細長い部材の遠位端と協働しており、前記第３の刃の第２端は患者の肉体開口に挿入することのできる形状になっており、
前記第１の細長い部材と前記第２の細長い部材は互いに係合して、前記第１の細長い部材の近位端と、前記第２の細長い部材の近位端が互いに向って移動することにより、前記第１の細長い部材の遠位端と、前記第２の細長い部材の遠位端は互いから離れるように移動するようになっている、
ことを特徴とする外科手術用開創器。
【請求項２】
前記第３の細長い部材は、前記第３の刃の第１端と協働する滑動可能部材を備えており、前記滑動可能部材は、前記第１の細長い部材および前記第２の細長い部材のうちの少なくとも一方に接続されており、したがって、前記第１の刃と前記第２の刃を互いに相関的に移動させた結果、前記滑動可能部材を第１の細長い部材と前記第２の細長い部材に相関的に移動させるようになっていることを特徴とする、請求項１に記載の外科手術開創器。
【請求項３】
前記第１の刃、前記第２の刃、および、前記第３の刃のうちの少なくとも１枚は、その長さが約25mmから約200mmの範囲であることを特徴とする、請求項１に記載の外科手術用開創器。
【請求項４】
前記刃のうちの少なくとも１枚の長さは調節可能であることを特徴とする、請求項３に記載の外科手術用開創器。
【請求項５】
前記第１の刃と前記第２の刃は第１の長さを有し、前記第３の刃は第２の長さを有し、前記第２の長さは前記第１の長さよりも短いことを特徴とする、請求項１に記載の外科手術用開創器。
【請求項６】
前記第１の刃および前記第２の刃は第１の長さを有し、前記第３の刃は第２の長さを有し、前記第２の長さは前記第１の長さよりも長いことを特徴とする、請求項１に記載の外科手術用開創器。
【請求項７】
前記第１の細長い部材と前記第２の細長い部材のうちの少なくとも一方はグリップ部を有していることを特徴とする、請求項１に記載の外科手術用開創器。
【請求項８】
前記第１の刃、前記第２の刃、および、前記第３の刃のうちの少なくとも１枚の遠位先端部の角度は、約90度から約180度の範囲であることを特徴とする、請求項１に記載の外科手術用開創器。
【請求項９】
前記第１の刃、前記第２の刃、および、前記第３の刃のうちの少なくとも１枚の遠位先端部の半径は、約0mmから約100mmの範囲であることを特徴とする、請求項１に記載の外科手術用開創器。
【請求項１０】
前記第１の刃、前記第２の刃、および、前記第３の刃のうちの少なくとも１枚は、放射線透過性素材で作成されることを特徴とする、請求項１に記載の外科手術開創器。
【請求項１１】
前記第１の刃、前記第２の刃、および、前記第３の刃のうちの少なくとも１枚は、取外し可能であることを特徴とする、請求項１に記載の外科手術用開創器。
【請求項１２】
前記少なくとも１枚の取外し可能な刃は、球状戻り止め機構によって装着されることを特徴とする、請求項１１に記載の外科手術用開創器。
【請求項１３】
前記少なくとも１枚の取外し可能な刃は、ねじによって装着されることを特徴とする、請求項１１に記載の外科手術用開創器。
【請求項１４】
前記第１の刃、前記第２の刃、および、前記第３の刃のうちの少なくとも１枚は、カニューレを備えることを特徴とする、請求項１に記載の外科手術用開創器。
【請求項１５】
前記第１の刃、前記第２の刃、および、前記第３の刃のうちの少なくとも１枚は、一体型の光源を備えることを特徴とする、請求項１に記載の外科手術用開創器。
【請求項１６】
前記刃のうちの少なくとも１枚は、光源、吸引装置、顕微鏡、内視鏡からなる群のうち少なくとも１つの装置の取付け機構を備えることを特徴とする、請求項１に記載の外科手術用開創器。
【請求項１７】
前記第１の刃、前記第２の刃、および、前記第３の刃のうちの少なくとも１枚は、一体型の光照射源を備えることを特徴とする、請求項１に記載の外科手術用開創器。
【請求項１８】
前記外科手術用開創器は、外科手術中に開創器を適所に固定するための接続部を更に備えることを特徴とする、請求項１に記載の外科手術用開創器。
【請求項１９】
前記外科手術用開創器は、前記第３の刃を前記第１の細長い部材および前記第２の細長い部材に接続する連結部材を更に備えており、前記第１の細長い部材の近位端と、前記第２の細長い部材の近位端を移動させて互いにより接近させた結果として、前記第１の細長い部材および前記第２の細長い部材の移動に比例する量だけ、前記第３の刃が前記第１の刃および前記第２の刃から遠ざかる方向に移動することを特徴とする、請求項１に記載の外科手術用開創器。
【請求項２０】
前記第３の細長い部材は、前記第３の刃の前記第１端と協働する滑動可能部材を備えることを特徴とする、請求項１９に記載の外科手術用開創器。
【請求項２１】
前記連結部材は、前記第１の細長い部材に接続された第１リンクと、前記第２の細長い部材に接続された第２リンクとを更に有しており、前記第１リンクおよび前記第２リンクは、前記滑動可能部材に接続されることを特徴とする、請求項２０に記載の外科手術用開創器。
【請求項２２】
前記第１リンクは前記第１の細長い部材に相関的に調節可能であり、前記第２リンクは前記第２の細長い部材に相関的に調節可能であり、前記調節可能な第１リンク及び前記調節可能な第２リンクは、前記第１の刃および前記第２の刃に相関的な前記第３の刃の移動に影響を与えるように構成したことを特徴とする、請求項２１に記載の外科手術用開創器。
【請求項２３】
前記連結部材は、前記第１の細長い部材と前記第２の細長い部材の移動によって生じる前記第３の刃の移動に比例して調整できるように調節可能であることを特徴とする、請求項１９に記載の外科手術用開創器。
【請求項２４】
前記外科手術用開創器は、前記第３の刃に付与される力を制限する手段を更に備えることを特徴とする、請求項１に記載の外科手術用開創器。
【請求項２５】
前記第３の刃に付与される力を制限する前記手段は、ばねであることを特徴とする、請求項２４に記載の外科手術用開創器。
【請求項２６】
前記外科手術用開創器は、前記第３の刃に付与される力を制限する前記手段に勝る手段を更に備えることを特徴とする、請求項２４に記載の外科手術用開創器。
【請求項２７】
前記外科手術用開創器は第４の刃を更に備えることを特徴とする、請求項１に記載の外科手術用開創器。
【請求項２８】
前記外科手術用開創器は、前記第１の細長い部材および前記第２の細長い部材のうちの少なくとも一方のための支持部材を更に備えることを特徴とする、請求項１に記載の外科手術用開創器。
【請求項２９】
設けられた前記開口は、概ね三角形であって、第１寸法が約10mmから約150mmの範囲であり、第２寸法が約10mmから約50mmの範囲であることを特徴とする、請求項１に記載の外科手術用開創器。
【請求項３０】
設けられた前記開口は多角形であって、第１寸法が約10mmから約150mmの範囲であり、第２寸法が約10mmから約70mmの範囲であることを特徴とする、請求項１に記載の外科手術用開創器。
【請求項３１】
前記刃のうちの少なくとも１枚の長さは調節可能であることを特徴とする、請求項１に記載の外科手術用開創器。
【請求項３２】
前記外科手術用開創器は、前記第１の細長い部材および前記第２の細長い部材のうちの少なくとも一方の遠位端に接続可能な第４の刃を更に備えることを特徴とする、請求項１に記載の外科手術用開創器。
【請求項３３】
前記第４の刃は手動で調節することができることを特徴とする、請求項３２に記載の外科手術用開創器。
【請求項３４】
前記第４の刃には、斜行した連結部が設けられており、自動開創を行うことができることを特徴とする、請求項３２に記載の外科手術用開創器。
【請求項３５】
前記第４の刃は、残りの刃に相関的にピボット回転するように構成されることを特徴とする、請求項３２に記載の外科手術用開創器。
【請求項３６】
外科手術用開創器を供与するためのキットであって、
近位端および遠位端を設けた第１の細長い部材と、
近位端および遠位端を設けた第２の細長い部材とを備えており、前記第２の細長い部材は、前記第１の細長い部材の近位端と遠位端との間の箇所において、前記第１の細長い部材にピボット回転可能なように協働しており、前記第１の細長い部材の近位端と、前記第２の細長い部材の近位端が互いに向って移動することにより、前記第１の細長い部材の遠位端と、前記第２の細長い部材の遠位端は互いから離れるように移動するようになっており、
前記キットは、さらに、各々が第１端および第２端を設けた複数の第１の刃を備えており、前記複数の第１の刃の各々の第１端は、前記第１の細長い部材の遠位端に動作可能に接続されており、
前記キットは、さらに、各々が第１端および第２端を設けた複数の第２の刃を備えており、前記複数の第２の刃の各々の第１端は、前記第２の細長い部材の遠位端に動作可能に接続されており、
前記キットは、さらに、滑動部材を備えており、前記滑動部材は、前記第１の細長い部材と前記第２の細長い部材がピボット回転可能なように協働するところで、前記第１の細長い部材および前記第２の細長い部材と協働しており、
前記キットは、さらに、各々が第１端および第２端を設けた複数の第３の刃を備えており、前記複数の第３の刃は、各々が前記滑動部材に動作可能に接続されており、
前記複数の第１の刃の第２端、前記複数の第２の刃の第２端、および、前記複数の第３の刃の第２端は、患者の体内に挿入されるようになっており、前記複数の第１の刃の第２端、前記複数の第２の刃の第２端、および、前記複数の第３の刃の第２端は末広がりになっている、
ことを特徴とするキット。
【請求項３７】
前記キットは、少なくとも１個の二重刃の開創器を更に含んでいることを特徴とする、請求項３６に記載のキット。
【請求項３８】
前記キットは、少なくとも１個の二重刃の蝶番式開創器を更に含んでいることを特徴とする、請求項３６に記載のキット。
【請求項３９】
前記キットは光源を更に含んでいることを特徴とする、請求項３６に記載のキット。
【請求項４０】
前記キットは吸引具を更に含んでいることを特徴とする、請求項３６に記載のキット。
【請求項４１】
前記キットは照射具を更に含んでいることを特徴とする、請求項３６に記載のキット。
【請求項４２】
前記キットは顕微鏡を更に含んでいることを特徴とする、請求項３６に記載のキット。
【請求項４３】
前記キットは内視鏡を更に含んでいることを特徴とする、請求項３６に記載のキット。
【請求項４４】
前記複数の第１の刃、前記複数の第２の刃、および、前記複数の第３の刃は、ステンレス鋼、アルミニウム、チタン、カーボンファイバー、ポリエーテルエーテルケトン（PEEK）、超高分子重量ポリエチレン（UHMWPE）からなる群から選択された素材で作成されることを特徴とする、請求項３６に記載のキット。
【請求項４５】
前記複数の第１の刃、前記複数の第２の刃、および、前記複数の第３の刃のうちの少なくとも１枚は、少なくとも、もう１枚の別の第１の刃、第２の刃、および、第３の刃とは異なる形状であることを特徴とする、請求項３６に記載のキット。
【請求項４６】
前記刃のうちの少なくとも１枚は取外し可能であることを特徴とする、請求項３６に記載のキット。
【請求項４７】
前記複数の第１の刃、前記複数の第２の刃、および、前記複数の第３の刃のうちの少なくとも１枚は、ねじを切った接続部材によって、前記第１の細長い部材および前記第２の細長い部材のうちの少なくとも一方に装着されることを特徴とする、請求項４６に記載のキット。
【請求項４８】
前記複数の第１の刃、前記複数の第２の刃、および、前記複数の第３の刃のうちの少なくとも１枚は、球状戻り止め機構によって、前記第１の細長い部材および前記第２の細長い部材のうちの少なくとも一方に装着されることを特徴とする、請求項４６に記載のキット。
【請求項４９】
前記複数の第１の刃、前記複数の第２の刃、および、前記複数の第３の刃のうちの少なくとも１枚はカニューレを有することを特徴とする、請求項３６に記載のキット。
【請求項５０】
前記複数の第１の刃、前記複数の第２の刃、および、前記複数の第３の刃のうちの少なくとも１枚は、光源、吸引具、照射具、顕微鏡、内視鏡からなる群のうちの少なくとも１つの装置の取付け部材を有することを特徴とする、請求項３６に記載のキット。
【請求項５１】
前記複数の第１の刃、前記複数の第２の刃、および、前記複数の第３の刃のうちの少なくとも１枚は一体型光源を有することを特徴とする、請求項３６に記載のキット。
【請求項５２】
前記複数の第１の刃、前記複数の第２の刃、および、前記複数の第３の刃のうちの少なくとも１枚は、一体型の照射具・吸引具を有することを特徴とする、請求項３６に記載のキット。